(57)【要約】  プロセスラインでソレノイド誘導コイルを通過する連続もしくは非連続の加工対象物を誘導溶接もしくは加熱するための動的可変コイル形状を有するソレノイド誘導コイルを提供する。たとえば、ソレノイド誘導コイルを通過する加工対象物の外側寸法が変化し、又は、非連続の加工対象物が、誘導加熱もしくは溶接プロセスラインにてソレノイド誘導コイルを通過するにつれて、コイル形状は変化可能である。
2016524327.tif 000002
【特許請求の範囲】
【請求項１】
動的可変の内部断面開口部を有するソレノイド誘導コイルであり、
第一コイルセグメント及び第二コイルセグメントであって、当該第一コイルセグメントが、第一パワー端部及び、前記第一パワー端部の反対側の第一調整可能コイルセグメント端部を有し、当該第二コイルセグメントが、第二パワー端部及び、前記第二パワー端部の反対側の第二調整可能コイルセグメント端部を有し、前記第一パワー端部及び前記第二パワー端部が、互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置して、反対の前記第一調整可能コイルセグメント端部及び第二調整可能コイルセグメント端部の間の電気的導通接続を形成する第一コイルセグメント及び第二コイルセグメントと、
反対の前記第一調整可能コイルセグメント端部及び第二調整可能コイルセグメント端部を電気的に接続する調整可能コイルセグメントと、
調整可能コイルセグメント・アセンブリであって、当該調整可能コイルセグメント・アセンブリが、反対の第一調整可能コイル端部セグメント及び調整可能コイル端部セグメントの間の調整可能コイルセグメント端部距離を与えるコイルセグメント・セパレーター、及び、調整可能コイル端部距離を動的に調整するアクチュエーターを備え、前記ソレノイド誘導コイルの前記内部断面開口部が、前記調整可能コイルセグメントがショートされるときの閉鎖セグメント位置と、前記調整可能コイルセグメントが反対の前記第一調整可能コイルセグメント端部及び第二調整可能コイルセグメント端部の間に電気的導通接続を形成するときの可変の開放セグメント位置との間で動的に変化する調整可能コイルセグメント・アセンブリと
を備えるソレノイド誘導コイル。
【請求項２】
前記第一コイルセグメント及び第二コイルセグメントの前記第一パワー端部及び第二パワー端部にそれぞれ接続された第一柔軟コイルセグメント及び第二柔軟コイルセグメントにより、前記第一パワー端部及び第二パワー端部が、互いに隣接して固着される請求項１に記載のソレノイド誘導コイル。
【請求項３】
前記第一コイルセグメント及び第二コイルセグメントの前記第一パワー端部及び第二パワー端部で互いに隣接して固着された前記第一パワー端部及び第二パワー端部が、軟質組成物からなり、前記ソレノイド誘導コイルの前記内部断面開口部が前記閉鎖セグメント位置と前記可変の開放セグメント位置との間で変化することを可能にした請求項１に記載のソレノイド誘導コイル。
【請求項４】
前記コイルセグメント・セパレーターが、電気的に絶縁された取り付けにより、前記第一調整可能コイルセグメント端部に第一端部で接続されたセパレーターロッドを備え、前記セパレーターロッドが、前記第二調整可能コイルセグメント端部における電気的に絶縁された穴を通過して、前記アクチュエーターの直線状出力に接続され、前記第一調整可能コイルセグメント端部を前記第二調整可能コイルセグメント端部に対して移動させるものとした請求項１に記載のソレノイド誘導コイル。
【請求項５】
前記コイルセグメント・セパレーターが、ねじロッドを備え、前記ねじロッドが、電気的に絶縁された第一ねじ接続部及び第二ねじ接続部により、前記第一調整可能コイルセグメント端部及び第二調整可能コイルセグメント端部に、またねじロッド端部で前記アクチュエーターの回転出力にそれぞれ接続されて、第一コイル調整可能セグメント端部及び第二コイル調整可能セグメント端部を相対的に移動させるものとした請求項１に記載のソレノイド誘導コイル。
【請求項６】
調整可能コイルセグメントが、非柔軟性の剛性部材を備える請求項１に記載のソレノイド誘導コイル。
【請求項７】
調整可能コイルセグメントがさらに、前記調整可能コイルセグメントと並列の調整可能容量素子を備え、前記調整可能容量素子が、空間的に調整可能コンデンサ・アセンブリにより制御される請求項１に記載のソレノイド誘導コイル。
【請求項８】
一以上の固定された冷却管をさらに備え、前記一以上の固定された冷却管が、当該一以上の固定された冷却管を通って冷却媒体を流すべく、前記第一コイルセグメント又は前記第二コイルセグメントの少なくとも一つと熱伝達接触する請求項１に記載のソレノイド誘導コイル。
【請求項９】
前記調整可能コイルセグメントと熱伝達接触する一以上の調整可能コイルセグメント管をさらに備える請求項８に記載のソレノイド誘導コイル。
【請求項１０】
動的可変の内部断面開口部を有するソレノイド誘導コイルであり、
第一コイルセグメント及び第二コイルセグメントであって、当該第一コイルセグメントが、第一パワー端部及び、前記第一パワー端部の反対側の第一調整可能コイルセグメント端部を有し、当該第二コイルセグメントが、第二パワー端部及び、前記第二パワー端部の反対側の第二調整可能コイルセグメント端部を有し、前記第一パワー端部及び前記第二パワー端部が、互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置して、反対の前記第一調整可能コイルセグメント端部及び第二調整可能コイルセグメント端部の間の電気的導通接続を形成する第一コイルセグメント及び第二コイルセグメントと、
調整可能コイルセグメント・アセンブリであって、
反対の第一調整可能コイル端部セグメント及び第二調整可能コイル端部セグメントの間の調整可能コイルセグメント端部距離を与え、第一調整可能セグメント端部及び第二調整可能セグメント端部の間の剛性導電体を備えるコイルセグメント・セパレーター、並びに、
調整可能コイルセグメント端部距離を動的に調整するためのアクチュエーターであり、前記ソレノイド誘導コイルの前記内部断面開口部が、前記コイルセグメント・セパレーターがショートされるときの前記閉鎖セグメント位置と、前記コイルセグメント・セパレーターが反対の前記第一調整可能コイルセグメント端部及び第二調整可能コイルセグメント端部の間の電気的導通接続を形成するときの可変の開放セグメント位置との間で動的に変化されるアクチュエーター
を備える調整可能コイルセグメント・アセンブリと
を備えるソレノイド誘導コイル。
【請求項１１】
連続的な管状品を形成する動的可変の内部開口部を有する複数巻ソレノイド誘導鍛接コイルであり、前記複数巻ソレノイド誘導鍛接コイルのコイル巻が、
第一コイル巻端部及び第二コイル巻端部の間のコイル巻に連続的に挿入される導電調整可能コイル巻セグメントであって、当該導電調整可能コイル巻セグメントが、閉鎖セグメント位置で互いに隣り合って移動可能に位置する反対の第一調整可能コイル巻セグメント端部及び第二調整可能コイル巻セグメント端部を有し、前記第一調整可能コイル巻セグメント端部に接続された前記第一コイル巻端部と、前記第二調整可能コイル巻セグメント端部に接続された前記第二コイル巻端部との間に電気的導通接続を形成する導電調整可能コイル巻セグメントと、
調整可能コイル巻セグメント・アセンブリであって、
前記第一コイル巻端部と前記第二コイル巻端部との間の調整可能コイル巻セグメント距離を与えるコイル巻セグメント・セパレーター、並びに、
前記第一コイル巻端部と前記第二コイル巻端部との間の前記調整可能コイル巻セグメント距離を動的に調整するアクチュエーターであり、前記複数巻ソレノイド誘導鍛接コイルの各コイル巻が、前記閉鎖セグメント位置と可変の開放セグメント位置との間で動的に変化されるアクチュエーターと
を備える調整可能コイル巻セグメント・アセンブリと
を備える複数巻ソレノイド誘導鍛接コイル。
【請求項１２】
前記コイル巻セグメント・セパレーターが、セパレーターロッドを備え、前記セパレーターロッドが、電気的に絶縁された取り付けにより前記第一コイル巻端部の第一端部に接続されており、前記セパレーターロッドが、前記第二コイル巻端部の電気的に絶縁された穴を通過するとともに、前記アクチュエーターの直線状出力に接続されて、前記第一コイル巻端部を前記第二コイル巻端部に対して移動させるものとした請求項１１に記載の複数巻ソレノイド誘導鍛接コイル。
【請求項１３】
前記コイルセグメント・セパレーターが、ねじロッドを備え、前記ねじロッドが、前記アクチュエーターの回転出力及び第一及び第二の電気的に絶縁されたねじ接続部により、前記第一コイル巻端部及び第二コイル巻端部にそれぞれ接続されて、前記第一コイル巻端部及び前記第二コイル巻端部を相対的に移動させるものとした請求項１１に記載の複数巻ソレノイド誘導鍛接コイル。
【請求項１４】
一以上の冷却管をさらに備え、前記一以上の冷却管が、該一以上の冷却管を通して冷却媒体を流す前記第一コイル巻端部又は前記第二コイル巻端部を有する少なくとも一のコイル巻セグメントと熱伝達接触する請求項１１に記載の複数巻ソレノイド誘導鍛接コイル。
【請求項１５】
前記調整可能コイル巻セグメントと熱伝達接触する一以上の調整可能コイルセグメントをさらに備える請求項１４に記載の複数巻ソレノイド誘導鍛接コイル。
【請求項１６】
前記コイル巻セグメント・セパレーターが、前記第一コイル巻端部と前記第二コイル巻端部との間に電気コネクタを備える請求項１１に記載の複数巻ソレノイド誘導鍛接コイル。
【請求項１７】
動的に可変の内部断面開口部を有するソレノイド誘導コイルであり、前記ソレノイド誘導コイルが、第一電源端部及び第二電源端部を有し、前記ソレノイド誘導コイルが、
第一ソレノイドコイル調整可能端部と第二ソレノイドコイル調整可能端部との間でソレノイドコイル内に連続的に挿入される調整可能コイルセグメントと、
調整可能コイルセグメント・アセンブリであって、
前記第一ソレノイドコイル調整可能端部と前記第二ソレノイドコイル調整可能端部との間の調整可能コイルセグメント端部距離を与えるコイルセグメント・セパレーター、並びに、
前記調整可能コイルセグメント端部距離を動的に調整するアクチュエーターであり、前記ソレノイド誘導コイルの前記内部断面開口部が、前記調整可能コイルセグメントがショートされるときの閉鎖セグメント位置と、前記調整可能コイルセグメントが前記第一ソレノイドコイル調整可能端部及び第二ソレノイドコイル調整可能端部の間に電気的導通接続を形成するときの可変の開放セグメント位置との間で動的に変化されるアクチュエーター
を備える調整可能コイルセグメント・アセンブリと
を備えるソレノイド誘導コイル。
【請求項１８】
少なくとも一巻きのソレノイド誘導コイルの内部断面開口部を動的に変化させる方法であり、前記ソレノイド誘導コイルが、第一コイルセグメント及び第二コイルセグメントであって、当該第一コイルセグメントが第一パワー端部及び、前記第一パワー端部の反対側の第一調整可能コイルセグメント端部を有し、当該第二コイルセグメントが第二パワー端部及び、前記第二パワー端部の反対側の第二調整可能コイルセグメント端部を有し、前記第一パワー端部及び前記第二パワー端部が互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置し、反対の前記第一調整可能コイルセグメント端部及び第二調整可能コイルセグメント端部の間に電気的導通接続を形成する第一コイルセグメント及び第二コイルセグメントと、反対の前記第一調整可能コイルセグメント端部及び第二調整可能コイルセグメント端部に電気的に接続する調整可能コイルセグメントと、反対の第一調整可能コイル端部セグメント及び第二調整可能コイル端部セグメントの間に調整可能コイルセグメント端部距離を与えるコイルセグメント・セパレーター、並びに、前記調整可能コイルセグメント端部距離を動的に調整するアクチュエーターであって、前記ソレノイド誘導コイルの前記内部断面開口部が、前記調整可能コイルセグメントがショートされる前記閉鎖セグメント位置と、前記調整可能コイルセグメントが反対の前記第一調整可能コイルセグメント端部及び第二調整可能コイルセグメント端部の間に電気的導通接続を形成する可変の開放セグメント位置との間で動的に変化されるアクチュエーターを備える調整可能コイルセグメント・アセンブリとを備え、前記方法が、
検知された寸法変化を出力する一以上のセンサーで、前記少なくとも一巻きのソレノイド誘導コイルを通過するに先立ち、加工対象物の寸法変化を検知すること、及び、
検知された寸法変化を、前記アクチュエーターへの入力のためのアクチュエーター・コントローラーに出力し、検知された寸法変化に応じて、前記少なくとも一巻きのソレノイド誘導コイルの前記内部断面開口部を、閉鎖セグメント位置と可変の開放セグメント位置との間で、アクチュエーターにより動的に変化させること
を備える方法。
【請求項１９】
前記寸法変化が、前記加工対象物の幅の変化を備える請求項１８に記載の方法。
【請求項２０】
前記加工対象物が非連続の加工対象物である場合、前記寸法変化が、前記加工対象物の後端部を備える請求項１８に記載の方法。
【発明の詳細な説明】
【技術分野】
【０００１】
この出願は、２０１３年５月１４日に出願された米国仮出願第６１／８２３，０３５号の利益を主張し、その全体を参照によりここに組み込む。
【０００２】
本発明は概して、ソレノイド型誘導コイル内での加工対象物（a workpiece）の電気誘導溶接もしくは加熱に関するものであり、特に、加工対象物の外部寸法が変化することができ、かつ、誘導コイルの形状が、加工対象物の寸法変化に対応するべく動的に変化することのできる当該誘導溶接もしくは加熱に関するものである。
【背景技術】
【０００３】
加工対象物は、ソレノイド型誘導コイルを通過させることができ、それにより、加熱対象物を誘導溶接又は加熱する。固定された構造のコイルは、制限された範囲の寸法の加工対象物のみを効果的に溶接又は加熱することができる。
【発明の概要】
【発明が解決しようとする課題】
【０００４】
本発明の一の目的は、加工対象物の寸法が変化する場合、溶接又は加熱プロセスが、正常に、又は、ソレノイドコイルへの冷却媒体の流れ及びソレノイド誘導コイルへの電力の遮断なしに低下したプロセスライン速度で継続するように、ソレノイド型コイルを通過する加工対象物を電気誘導溶接又は加熱する装置及び方法を提供する。
【課題を解決するための手段】
【０００５】
一の側面では、本発明は、加工対象物を、少なくとも一巻きのソレノイド誘導コイルに通過させることにより、加工対象物を電気誘導溶接又は加熱するための装置及び、その方法である。誘導コイルは、加工対象物の寸法又は特性が変化するに応じて変化することのできる動的可変コイル構造を有する。可変コイル構造は、ソレノイド誘導コイルの一以上の巻き部分を形成し、もしくはそれに取り付けられた関節部材（an articulating member）又は、調整可能コイルセグメント・アセンブリを含むことにより実現される。
【０００６】
この発明のいくつかの例では、可変コイル構造は、ソレノイド誘導コイルを通過する加工対象物の外部寸法の変化に応じて、ソレノイド誘導コイルの内部断面寸法を変化させることにより達成される。
【０００７】
この発明の上記の及び他の側面は、この明細書及び添付の特許請求の範囲で説明する。
【図面の簡単な説明】
【０００８】
【図１（ａ）】調整可能コイルセグメントが閉鎖位置にある本発明の動的可変コイル構造を有するソレノイド誘導コイルの一の実施形態の概略断面図である。
【図１（ｂ）】調整可能コイルセグメントが可変の開放位置にある図１（ａ）のソレノイド誘導コイルの概略断面図である。
【図２（ａ）】調整可能コイルセグメントが閉鎖位置にある本発明の動的可変コイル構造を有するソレノイド誘導コイルの他の実施形態の概略断面図である。
【図２（ｂ）】調整可能コイルセグメントが可変の開放位置にある図２（ａ）のソレノイド誘導コイルの概略断面図である。
【図３（ａ）】本発明のソレノイド誘導コイルを有する金属プレート又はストリップの反対の長手方向縁部の鍛接による連続チューブ品の典型的な形成を例示する。
【図３（ｂ）】調整可能コイルセグメントが閉鎖位置にある図３（ａ）に示す鍛接プロセスで使用される本発明の動的可変コイル構造を有するソレノイド誘導コイルの一の実施形態の概略断面図である。
【図３（ｃ）】調整可能コイルセグメントが可変の開放位置にある図３（ｂ）のソレノイド誘導コイルの概略断面図である。
【発明を実施するための形態】
【０００９】
図面は、明細書及び特許請求の範囲と併せて、この発明を実施する一以上の非限定的なモードを例示する。この発明は、図面に例示する配置及び内容に限定されるものではない。
【００１０】
図１（ａ）及び図１（ｂ）の概略断面図に、動的可変コイル構造を有するソレノイド誘導コイル１０を示す。誘導コイル１０は、電気的に固定された導電コイルセグメント１０ａ及び１０ｂ並びに一以上の調整可能コイルセグメント１０ｃを備える少なくとも一巻きのソレノイドコイルであり、各調整可能コイルセグメントは、分離した調整可能コイルセグメント・アセンブリ１０ｄに関連付けられる。
【００１１】
コイルセグメント１０ａ及び１０ｂは、そのコイルセグメントの長さに沿って少なくとも部分的に、又は、コイルセグメントに連結された要素によって固着される。たとえば、コイルセグメント１０ａ及び１０ｂの少なくともパワー端部（power termination ends）１０ａ’、１０ｂ’は、該パワー端部の間に間隔をおいて、図示のように、互いに隣接して固着することができ、それにより、パワー端部の間に電気的な絶縁をもたらす。かかる間隔は、ポリテトラフルオロエチレン又は他の適切な材料のような電気絶縁材料で満たされるものとすることができる。あるいは、ソレノイド誘導コイル１０のパワー端部１０ａ’及び１０ｂ’の反対端部を、図示しない一以上の電源に接続するフレキシブルケーブル・セグメント１６ａ及び１６ｂにより、ソレノイドコイルへの電力供給回路におけるフレキシブルジョイントを設けることができる。この発明のこの実施形態では、フレキシブルケーブル・セグメント１６ａ及び１６ｂは、以下にさらに詳細に説明するように、剛体のコイルセグメント１０ａ及び１０ｂの、閉鎖セグメント位置から可変の開放セグメント位置までの屈曲離隔（flexing apart）を可能にする。
【００１２】
コイルセグメント１０ａ及び１０ｂは、図示のように同等のセグメント長さとすることができ、又は、特定の適用に応じて同等でない長さとすることができる。図では、同等の長さのコイルセグメント１０ａ及び１０ｂはそれぞれ半円である。この例では、調整可能コイルセグメント端部１０ａ’’及び１０ｂ’’はそれぞれ、コイルセグメント１０ａ及び１０ｂ用の反対のパワー端部１０ａ’及び１０ｂ’である。この例では、調整可能コイルセグメント１０ｃは、調整可能コイルセグメント端部１０ａ’’及び１０ｂ’’に取り付けられて、調整可能コイルセグメント端部で、コイルセグメント１０ａ及び１０ｂを電気的に相互接続する。
【００１３】
調整可能コイルセグメント・アセンブリ１０ｄは、調整可能コイルセグメント・セパレーター１０ｄ’を備え、これは、調整可能コイルセグメント端部１０ａ’’及び１０ｂ’’と、ソレノイドコイル構造を変化させるべくセパレーター１０ｄ’を動的に移動させるアクチュエーター１０ｄ’’との間の調整可能コイルセグメント端部の距離を与えるためのものであり、この例では、ソレノイドコイルの内部断面寸法である。あるいは、セパレーター１０ｄ’は、アクチュエーターなしで手動により調整されるものとすることができる。この例では、アクチュエーター１０ｄ’’は、図１（ａ）及び図１（ｂ）にそれぞれ示すように、導電コイルセグメント１０ａ及び１０ｂの調整可能コイルセグメント端部１０ａ’’及び１０ｂ’’がともに連結されるか（閉鎖セグメント位置）、又は、離れて分離される（可変の開放セグメント位置）ことを可能にし、それにより、ソレノイドコイル１０の内部断面寸法（この例では内部寸法）は、図１（ａ）に示す閉鎖セグメント位置での最小のｄ1と、図１（ｂ）に示す最大可変開放セグメント位置での最大のｄ2との間で変化して、ソレノイドコイル内で異なる外部寸法の加工対象物に適合させることができる。アクチュエーター１０ｄ’’は、ソレノイドコイルを通過する加工対象物に応じて、最小寸法ｄ1から最大寸法ｄ2のいかなる範囲でも内部断面寸法を変化させることができる。
【００１４】
固定された導電のコイルセグメント（１０ａ及び１０ｂ）並びに調整可能コイルセグメント１０ｃは、ソレノイドコイル内に挿入された加工対象物の周りに、一連の電気回路を形成する。この例では、ソレノイドコイルが閉鎖セグメント位置にあるとき、反対の調整可能コイルセグメント端部１０ａ’’及び１０ｂ’’が互いに電気接続（導通）状態にあるので、調整可能コイルセグメント１０ｃは、図１（ａ）に示すように、一連の電気回路を短絡させる。この例では、ソレノイドコイルが、可変の開放セグメント位置にあるとき、調整可能コイルセグメント１０ｃは、図１（ｂ）に示すように、コイルセグメント１０ａ及び１０ｂ間に電気的導通をもたらす。
【００１５】
固定された導電コイルセグメント（１０ａ及び１０ｂ）並びに調整可能コイルセグメント１０ｃ（可変の開放セグメント位置にある場合）は、ソレノイドコイル内に位置する加工対象物の電気誘導加熱または電気誘導溶接の用途に適した一の周波数または複数の周波数で、交流電流（ＡＣ電流）用のソレノイドコイル導体として機能する。
【００１６】
この発明の他の実施形態では、調整可能コイルセグメントは、特定の用途に応じて、ソレノイド誘導コイルの周囲の任意の位置、たとえば、第一ソレノイドコイルの調整可能端部（第一コイル屈曲端部ともいう）と、第二ソレノイドコイルの調整可能端部（第二コイル屈曲端部ともいう）との間に、連続的に挿入することができ、そして、必要に応じて、たとえば、調整可能コイルセグメントが、第一及び第二ソレノイドコイルの調整可能端部の間に電気的導通をもたらす場合、第一及び第二ソレノイドコイルの調整可能端部が隣接して電気的に接続され、調整可能コイルセグメント及び可変の開放セグメント位置をショートさせるときに、閉鎖コイル位置間のインダクタンス及びインピーダンスの変化を最小限に抑える。それらの実施形態では、調整可能コイルセグメント・アセンブリは、この発明の他の例について述べるようにも使用されることができる。
【００１７】
この発明のいくつかの実施形態では、固定された導電コイルセグメント１０ａ及び１０ｂは、たとえば、固定された導電コイルセグメントの反対の調整可能コイルセグメント端部１０ａ’’及び１０ｂ’’で曲げるのに十分な曲げ弾性を有する銅管もしくは板で形成することができ、それにより、導電コイルセグメントは、調整可能コイルセグメント・アセンブリ１０ｄにより、可変の開放セグメント位置と閉鎖セグメント位置との間で移動される。
【００１８】
調整可能コイルセグメント１０ｃは、たとえば、柔軟な網状導電体（銅等）または、伸縮導電体（同心伸縮銅管等）とすることができる。
【００１９】
調整可能コイルセグメント・セパレーター１０ｄ’は、調整可能コイルセグメント端部１０ａ’’もしくは１０ｂ’’のいずれか又は、調整可能コイルセグメント端部の両方を移動させるコンポーネントとすることができる。たとえば、セパレーター１０ｄ’は、調整可能コイルセグメント端部１０ａ’’に固定されて（但し、それから電気的に絶縁されて）、調整可能コイルセグメント端部１０ｂ’’内の電気的に絶縁された穴を通過するロッドとすることができ、それにより、（この例では直線状の）アクチュエーター１０ｄ’’が、当該ロッドを、プラスもしくはマイナスＸ距離で移動させるとき、調整可能コイルセグメント端部１０ａ’’は、調整可能コイルセグメント端部１０ｂ’’が静止状態にある間に、同方向に移動する。
【００２０】
あるいは、セパレーター１０ｄ’は、調整可能コイルセグメント端部１０ａ’’及び１０ｂ’’の電気的に絶縁されたねじ開口部を通過するねじロッドとすることができ、それにより、アクチュエーター１０ｄ’’が、ねじロッドを回転させるとき、調整可能コイルセグメント端部１０ａ’’及び１０ｂ’’は、反対のプラス及びマイナスＸ方向に移動して、調整可能コイルセグメント端部を離隔させ、又は結合させる。アクチュエーター １０ｄ’’は、特定の用途に基いて選択することができ、たとえば、アクチュエーターは、コイルセグメント１０ａ及び１０ｂの反対端部１０ａ’’及び１０ｂ’’の間の距離ｘ1を広げる又は狭めるための、油圧もしくは電気作動のリニアもしくはボールねじ駆動とすることができる。
【００２１】
この発明の他の例では、本発明のソレノイドコイルは、非柔軟性の剛性部材、たとえば、限定的ではないが、図１（ａ）及び図１（ｂ）の調整可能コイルセグメントの位置内の、または、それに隣接するスライド接触バスバー又は、他の導電かつ剛性要素により、閉鎖セグメント位置と可変の開放セグメント位置との間で移動する（関節接合する（articulates））。たとえば、図２（ａ）及び図２（ｂ）では、固定されたバスバー１０ｃ’は、図２（ａ）及び図２（ｂ）における第一及び第二の調整可能端部セグメント１０ａ’’及び１０ｂ’’と接触するべく構成され、それにより、調整可能コイルセグメント・アセンブリ１０ｄが、ソレノイド誘導コイルの内部断面開口部を、閉鎖セグメント位置と可変の開放セグメント位置との間で動的に変化させるとき、第一及び第二の調整可能端部セグメントは、固定されたバスバー１０ｃ’との電気接触を維持する。
【００２２】
この発明の他の実施形態では、複数の調整可能コイルセグメント及び調整可能コイルセグメント・アセンブリは、ソレノイド誘導コイルの複数の固定されたコイルセグメントの間に分布させることができ、それにより、柔軟なケーブルセグメント１６ａ及び１６ｂもしくは、他の種類の電力リード線にストレスを加えることなしに、コイルの内部断面開口部を動的に変化させ、又は、ソレノイド誘導コイルを通過する加工対象物の他の寸法変化に対応させる。
【００２３】
調整可能コイルセグメント・アセンブリ１０ｄは、一連の電力リード線１６ａ及び１６ｂにより給電されるコイルの内部断面積を変化させる手段を提供し、様々な寸法の加工対象物に対応させる。たとえば、コイルを通過する加工対象物が、長手方向に向けて連続した管状物品、又は、誘導鍛接のために丸められてともに接合されたストリップ材料の反対縁部であり、ここで、加工対象物の外部断面直径が変化する場合、距離ｘ1は、断面直径の変化に対応するべく変化され得る。このことは、たとえば、連続したストリップ・プロセス・ラインで生じることがあり、ここでは、ストリップ材料は、端部どうしで突き合わせ溶接された異なる幅のストリップ材料の連続したコイルから連続的に供給される。なおここでは、現状の処理コイルがその端部に到達したとき、ストリップ材料の新たな別個のコイルに切り替えることに起因する中断がある。
【００２４】
たとえば、図３（ａ）では、ストリップがシングルヘッドの矢印（the single headed arrow）の方向に前進して、ダブルヘッドの矢印（the double headed arrows）により示される方向に圧力が作用して、巻かれたストリップの縁部をともに押し付けるにつれて、溶接点１１５でともに押し付けられて溶接シーム１１７を形成する金属ストリップから、管１１３が形成される。図３（ａ）では、誘導パワーは、適切なＡＣ電源（図示せず）から誘導コイル１２０の誘導コイルパワー端子１２１及び１２２に供給されることができ、それにより、ストリップの縁部をともに押し付けることによって形成された「Ｖ」字状領域の周囲の金属に、電流を誘導する。かかる誘導電流は、図３（ａ）に、典型的な電流路ライン１１９（破線で示す）で示すように、管の外部の周囲から開口「Ｖ」字状縁部に沿って、溶接点１１５に流れる。この「Ｖ」字状領域の長さｙは、溶接点に最も近いコイルの端部との間の距離にほぼ等しい。図３（ａ）では、誘導コイル１２０は、三コイル巻数からなり、それらのコイル巻１１のそれぞれは、ここで述べる任意の調整可能コイルセグメント及び調整可能コイルセグメント・アセンブリと類似することがある調整可能コイルセグメント・アセンブリ１１ｄを含み、各コイル巻１１が、図３（ｂ）及び図３（ｃ）に示すように、コイル１２０の反対端部で、隣接するコイル巻１１もしくは誘導コイルパワー端子１２１及び１２２のいずれかに接続されることを除いて、コイル巻１１は、ソレノイド誘導コイル１０と類似する。この実施形態では、調整可能コイルセグメント・アセンブリは、図３（ａ）に示すところでは、３時の位置にあるが、この発明の他の例では、調整可能コイルセグメント・アセンブリは、ソレノイド誘導コイルの周囲の周りのいずれにも位置させることができる。
【００２５】
誘導コイルの内部断面積、及び／又は、誘導コイルに作用する電力もしくは電圧に応じて、調整可能コイルセグメントを有する二以上の調整可能コイルセグメント・アセンブリは、調整可能コイルセグメント・アセンブリの数に必要な多量の固定された導電コイルセグメントと直列に、誘導コイルの一以上の巻きの周囲の周りに分布され得る。
【００２６】
この発明のいくつかの例では、空間的に調整可能コンデンサ・アセンブリ（a spatially adjustable capacitor assembly）は選択的に、調整可能コイルセグメント・アセンブリと並列に設けることができ、それにより、空間的に調整可能コンデンサ・アセンブリにより制御される調整可能容量素子は、調整可能容量素子が、調整可能コイルセグメントとともに又はそれなしで、閉鎖セグメント位置から可変の開放セグメント値への間に移行するときに、可変のキャパシタンスをもたらす。
【００２７】
本発明のソレノイド誘導コイルの内部断面積の動的可変の変化は、加工対象物をソレノイド誘導コイルに通過させるに先立って、加工対象物の形状の変化を検知する一以上の検知手段により与えられる。たとえば、供給加工対象物が、たとえば図３（ａ）に示すように、鍛接によってパイプに巻かれた幅ｗを有するストリップである場合、一以上のストリップセンサーを設けることができる。一以上のストリップセンサーは、非接触センサーとすることができ、たとえば、ストリップ縁部に向けたレーザービームは、ロール成形前のストリップの幅の変化（及び、それによる巻かれたパイプの外側寸法の変化）を検知することができる。あるいは、一以上のストリップセンサーは、ロール成形前のストリップに接触してストリップの幅の変化を検知する接触センサーとすることができる。本発明の他の例では、本発明のソレノイドコイルに供給される加工対象物が、一定の幅の非連続ストリップである場合、一以上のストリップセンサーは、非連続ストリップの後端部（the trailing end）がソレノイド誘導コイルに到達したとき、誘導加熱される非連続ストリップの端部を検知して、それにより、本発明のソレノイド誘導コイルの内部断面寸法の変化を引き起こすべく構成することができる。加工対象物の幅、外側断面寸法または端部の変化は、本発明で距離ｘ1の調整に用いられるアクチュエーター用のアクチュエーター制御システムに入力されることができる。あるいは、加工対象物全体が誘導により加熱される加工対象物の寸法の変化は検知されて、制御アクチュエーターシステムへの入力のためのコンピュータープログラム又はプログラム可能なロジック・コントローラーにプログラムされることができ、それにより、ソレノイド誘導コイルを通過する管もしくはパイプのアプセット端部（upset ends）の加熱でさえも可能にし、ここでは、アプセットパイプ端部は、たとえば、アプセットパイプ端部でソレノイド誘導コイルの内部断面開口部を変化させることにより、アプセットパイプ端部間のパイプ本体部と比較して、より厚い壁もしくはより大きな外側寸法又は両方を有する。あるいは、アクチュエーターの制御は、この発明の全ての例で、手動又は、選択的な手動又は、自動とすることができる。
【００２８】
コイル１０の強制循環冷却は、たとえば、固定された導電コイルセグメント、たとえば図１（ａ）から図２（ｂ）のセグメント１０ａ及び１０ｂとの熱伝導接触下の冷却管もしくはキャビティ１８、及び、当該管もしくはキャビティ内で流れる冷却流体により行うことができる。必要であれば、調整可能コイルセグメントの強制循環冷却を行うことができる。たとえば、図１（ａ）及び図１（ｂ）では、冷却管は、調整可能コイルセグメント導電体１０ｃを構成する銅メッシュ導体と、又は、図２（ａ）及び図２（ｂ）では調整可能コイルセグメント導電体を構成する伸縮管状導電体もしくは固定されたバスパー１０ｃ’内で混在させることができる。冷却装置のこの構成では、本発明のソレノイド誘導コイルの内部断面寸法は、コイルへの冷却ラインの切断又は、冷却管もしくはキャビティを通る冷却流れの制限なしに調整することができる。
【００２９】
この発明の上記の例では、アクチュエーター１０ｄ’’は、ソレノイドコイル回路から電気的に絶縁されており、それにより、電流が、図１（ｂ）では柔軟な調整可能コイルセグメント１０ｃを、図２（ｂ）では剛体の調整可能コイルセグメント１０ｃ’を、そして図３（ｃ）では柔軟な調整可能コイルセグメント１１ｃを流れる。アクチュエーター １０ｄ’’は、熱耐性があり、かつ、ソレノイド誘導コイルが閉鎖セグメント位置もしくは可変の開放セグメント位置にあるときの環境条件に耐えることのできるような材料で構成される。
【００３０】
この発明の上記の例では、コイルセグメント・セパレーター１０ｄ’及び１１ｄ’は、第一及び第二の調整可能コイルセグメント端部から電気的に絶縁される。この発明の他の実施形態では、コイルセグメント・セパレーターはまた、アクチュエーター１０ｄ’’から電気的に絶縁される間、第一及び第二の調整可能コイルセグメント端部に電気的に接続する調整可能コイルセグメントとしても機能し得る。この実施形態では、コイルセグメント・セパレーターが、第一及び第二の調整可能コイルセグメント端部（又は第一及び第二のソレノイドコイルの調整可能端部、又は、第一及び第二のコイル巻端部）の間の分離手段、及び、第一及び第二の調整可能コイルセグメント端部（又は第一及び第二のソレノイドコイルの調整可能端部、又は、第一及び第二のコイル巻端部）の間の電気的導通を維持する導電体の両方として機能するので、調整可能コイルセグメント１０ｃ、１０ｃ’又は１１ｃは必要ではない。
【００３１】
この発明の上記のいくつかの例は、単一巻のソレノイド誘導コイルを説明したところ、単一巻のソレノイド誘導コイルは、多数巻のソレノイド誘導コイルを備えるコイル巻で使用することができる。
【００３２】
この明細書で、「一の例もしくは実施形態」、「例もしくは実施形態」、「一以上の例もしくは実施形態」又は、「異なる例もしくは実施形態」への言及は、特定の構成が、この発明の実施において含まれ得ることを意味する。当該説明では、様々な構成が、開示の簡素化及び、様々な発明の側面の理解の補助の目的で、その一の例、実施形態、図、説明においてともにグループ化されていることがある。
【００３３】
好ましい例および実施形態の観点から本発明を説明した。それらの明確に述べたところに加えて、均等、代替及び変更は、この発明の範囲内で可能である。この明細書の教示の利益を得る当業者は、この発明の範囲から逸脱することなしに、それへの変更を行うことができる。
【図１（ａ）】
2016524327.tif 000003
【図１（ｂ）】
2016524327.tif 000004
【図２（ａ）】
2016524327.tif 000005
【図２（ｂ）】
2016524327.tif 000006
【図３（ａ）】
2016524327.tif 000007
【図３（ｂ）】
2016524327.tif 000008
【図３（ｃ）】
2016524327.tif 000009
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
動的可変の内部断面開口部を有するソレノイド誘導コイルであり、
第一コイルセグメント及び第二コイルセグメントであって、当該第一コイルセグメントが、第一パワー端部及び、前記第一パワー端部の反対側の第一調整可能コイルセグメント端部を有し、当該第二コイルセグメントが、第二パワー端部及び、前記第二パワー端部の反対側の第二調整可能コイルセグメント端部を有し、前記第一パワー端部及び前記第二パワー端部が、互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置して、反対の前記第一調整可能コイルセグメント端部及び第二調整可能コイルセグメント端部の間の電気的導通接続を形成する第一コイルセグメント及び第二コイルセグメントと、
反対の前記第一調整可能コイルセグメント端部及び第二調整可能コイルセグメント端部を電気的に接続する調整可能コイルセグメントと、
調整可能コイルセグメント・アセンブリであって、当該調整可能コイルセグメント・アセンブリが、反対の前記第一調整可能コイルセグメント端部及び調整可能コイルセグメント端部の間の調整可能コイルセグメント端部距離を与えるコイルセグメント・セパレーター、及び、調整可能コイルセグメント端部距離を動的に調整するアクチュエーターを備え、前記ソレノイド誘導コイルの前記内部断面開口部が、前記調整可能コイルセグメントがショートされるときの閉鎖セグメント位置と、前記調整可能コイルセグメントが反対の前記第一調整可能コイルセグメント端部及び第二調整可能コイルセグメント端部の間に電気的導通接続を形成するときの可変の開放セグメント位置との間で動的に変化する調整可能コイルセグメント・アセンブリと
を備えるソレノイド誘導コイル。
【請求項２】
前記第一コイルセグメント及び第二コイルセグメントの前記第一パワー端部及び第二パワー端部にそれぞれ接続された第一柔軟コイルセグメント及び第二柔軟コイルセグメントにより、前記第一パワー端部及び第二パワー端部が、互いに隣接して固着される請求項１に記載のソレノイド誘導コイル。
【請求項３】
前記第一コイルセグメント及び第二コイルセグメントの前記第一パワー端部及び第二パワー端部で互いに隣接して固着された前記第一パワー端部及び第二パワー端部が、軟質組成物からなり、前記ソレノイド誘導コイルの前記内部断面開口部が前記閉鎖セグメント位置と前記可変の開放セグメント位置との間で変化することを可能にした請求項１に記載のソレノイド誘導コイル。
【請求項４】
前記コイルセグメント・セパレーターが、電気的に絶縁された取り付けにより、前記第一調整可能コイルセグメント端部に第一端部で接続されたセパレーターロッドを備え、前記セパレーターロッドが、前記第二調整可能コイルセグメント端部における電気的に絶縁された穴を通過して、前記アクチュエーターの直線状出力に接続され、前記第一調整可能コイルセグメント端部を前記第二調整可能コイルセグメント端部に対して移動させるものとした請求項１に記載のソレノイド誘導コイル。
【請求項５】
前記コイルセグメント・セパレーターが、ねじロッドを備え、前記ねじロッドが、電気的に絶縁された第一ねじ接続部及び第二ねじ接続部により、前記第一調整可能コイルセグメント端部及び第二調整可能コイルセグメント端部に、またねじロッド端部で前記アクチュエーターの回転出力にそれぞれ接続されて、前記第一調整可能コイルセグメント端部及び第二調整可能コイルセグメント端部を相対的に移動させるものとした請求項１に記載のソレノイド誘導コイル。
【請求項６】
調整可能コイルセグメントが、非柔軟性の剛性部材を備える請求項１に記載のソレノイド誘導コイル。
【請求項７】
調整可能コイルセグメントがさらに、前記調整可能コイルセグメントと並列の調整可能容量素子を備え、前記調整可能容量素子が、空間的に調整可能コンデンサ・アセンブリにより制御される請求項１に記載のソレノイド誘導コイル。
【請求項８】
一以上の固定された冷却管をさらに備え、前記一以上の固定された冷却管が、当該一以上の固定された冷却管を通って冷却媒体を流すべく、前記第一コイルセグメント又は前記第二コイルセグメントの少なくとも一つと熱伝達接触する請求項１に記載のソレノイド誘導コイル。
【請求項９】
前記調整可能コイルセグメントと熱伝達接触する一以上の調整可能コイルセグメント管をさらに備える請求項８に記載のソレノイド誘導コイル。
【請求項１０】
動的可変の内部断面開口部を有するソレノイド誘導コイルであり、
第一コイルセグメント及び第二コイルセグメントであって、当該第一コイルセグメントが、第一パワー端部及び、前記第一パワー端部の反対側の第一調整可能コイルセグメント端部を有し、当該第二コイルセグメントが、第二パワー端部及び、前記第二パワー端部の反対側の第二調整可能コイルセグメント端部を有し、前記第一パワー端部及び前記第二パワー端部が、互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置して、反対の前記第一調整可能コイルセグメント端部及び第二調整可能コイルセグメント端部の間の電気的導通接続を形成する第一コイルセグメント及び第二コイルセグメントと、
調整可能コイルセグメント・アセンブリであって、
反対の前記第一調整可能コイルセグメント端部及び第二調整可能コイルセグメント端部の間の調整可能コイルセグメント端部距離を与え、前記第一調整可能コイルセグメント端部及び前記第二調整可能コイルセグメント端部の間の剛性導電体を備えるコイルセグメント・セパレーター、並びに、
調整可能コイルセグメント端部距離を動的に調整するためのアクチュエーターであり、前記ソレノイド誘導コイルの前記内部断面開口部が、前記コイルセグメント・セパレーターがショートされるときの前記閉鎖セグメント位置と、前記コイルセグメント・セパレーターが反対の前記第一調整可能コイルセグメント端部及び第二調整可能コイルセグメント端部の間の電気的導通接続を形成するときの可変の開放セグメント位置との間で動的に変化されるアクチュエーター
を備える調整可能コイルセグメント・アセンブリと
を備えるソレノイド誘導コイル。
【請求項１１】
連続的な管状品を形成する動的可変の内部開口部を有する複数巻ソレノイド誘導鍛接コイルであり、前記複数巻ソレノイド誘導鍛接コイルのコイル巻が、
第一コイル巻端部及び第二コイル巻端部の間のコイル巻に連続的に挿入される導電調整可能コイル巻セグメントであって、当該導電調整可能コイル巻セグメントが、閉鎖セグメント位置で互いに隣り合って移動可能に位置する反対の第一調整可能コイル巻セグメント端部及び第二調整可能コイル巻セグメント端部を有し、前記第一調整可能コイル巻セグメント端部に接続された前記第一コイル巻端部と、前記第二調整可能コイル巻セグメント端部に接続された前記第二コイル巻端部との間に電気的導通接続を形成する導電調整可能コイル巻セグメントと、
調整可能コイル巻セグメント・アセンブリであって、
前記第一コイル巻端部と前記第二コイル巻端部との間の調整可能コイル巻セグメント距離を与えるコイル巻セグメント・セパレーター、並びに、
前記第一コイル巻端部と前記第二コイル巻端部との間の前記調整可能コイル巻セグメント距離を動的に調整するアクチュエーターであり、前記複数巻ソレノイド誘導鍛接コイルの各コイル巻が、前記閉鎖セグメント位置と可変の開放セグメント位置との間で動的に変化されるアクチュエーターと
を備える調整可能コイル巻セグメント・アセンブリと
を備える複数巻ソレノイド誘導鍛接コイル。
【請求項１２】
前記コイル巻セグメント・セパレーターが、セパレーターロッドを備え、前記セパレーターロッドが、電気的に絶縁された取り付けにより前記第一コイル巻端部の第一端部に接続されており、前記セパレーターロッドが、前記第二コイル巻端部の電気的に絶縁された穴を通過するとともに、前記アクチュエーターの直線状出力に接続されて、前記第一コイル巻端部を前記第二コイル巻端部に対して移動させるものとした請求項１１に記載の複数巻ソレノイド誘導鍛接コイル。
【請求項１３】
前記コイル巻セグメント・セパレーターが、ねじロッドを備え、前記ねじロッドが、前記アクチュエーターの回転出力及び第一及び第二の電気的に絶縁されたねじ接続部により、前記第一コイル巻端部及び第二コイル巻端部にそれぞれ接続されて、前記第一コイル巻端部及び前記第二コイル巻端部を相対的に移動させるものとした請求項１１に記載の複数巻ソレノイド誘導鍛接コイル。
【請求項１４】
一以上の冷却管をさらに備え、前記一以上の冷却管が、該一以上の冷却管を通して冷却媒体を流す前記第一コイル巻端部又は前記第二コイル巻端部を有する少なくとも一の前記導電調整可能コイル巻セグメントと熱伝達接触する請求項１１に記載の複数巻ソレノイド誘導鍛接コイル。
【請求項１５】
前記調整可能コイル巻セグメントと熱伝達接触する一以上の調整可能コイルセグメントをさらに備える請求項１４に記載の複数巻ソレノイド誘導鍛接コイル。
【請求項１６】
前記コイル巻セグメント・セパレーターが、前記第一コイル巻端部と前記第二コイル巻端部との間に電気コネクタを備える請求項１１に記載の複数巻ソレノイド誘導鍛接コイル。
【請求項１７】
動的に可変の内部断面開口部を有するソレノイド誘導コイルであり、前記ソレノイド誘導コイルが、第一電源端部及び第二電源端部を有し、前記ソレノイド誘導コイルが、
第一ソレノイドコイル調整可能端部と第二ソレノイドコイル調整可能端部との間でソレノイドコイル内に連続的に挿入される調整可能コイルセグメントと、
調整可能コイルセグメント・アセンブリであって、
前記第一ソレノイドコイル調整可能端部と前記第二ソレノイドコイル調整可能端部との間の調整可能コイルセグメント端部距離を与えるコイルセグメント・セパレーター、並びに、
前記調整可能コイルセグメント端部距離を動的に調整するアクチュエーターであり、前記ソレノイド誘導コイルの前記内部断面開口部が、前記調整可能コイルセグメントがショートされるときの閉鎖セグメント位置と、前記調整可能コイルセグメントが前記第一ソレノイドコイル調整可能端部及び第二ソレノイドコイル調整可能端部の間に電気的導通接続を形成するときの可変の開放セグメント位置との間で動的に変化されるアクチュエーター
を備える調整可能コイルセグメント・アセンブリと
を備えるソレノイド誘導コイル。
【請求項１８】
少なくとも一巻きのソレノイド誘導コイルの内部断面開口部を動的に変化させる方法であり、前記ソレノイド誘導コイルが、第一コイルセグメント及び第二コイルセグメントであって、当該第一コイルセグメントが第一パワー端部及び、前記第一パワー端部の反対側の第一調整可能コイルセグメント端部を有し、当該第二コイルセグメントが第二パワー端部及び、前記第二パワー端部の反対側の第二調整可能コイルセグメント端部を有し、前記第一パワー端部及び前記第二パワー端部が互いに隣接して固着されるとともに、互いに電気的に分離されており、反対の前記第一調整可能コイルセグメント端部及び第二調整可能コイルセグメント端部が、閉鎖セグメント位置で互いに隣り合って移動可能に位置し、反対の前記第一調整可能コイルセグメント端部及び第二調整可能コイルセグメント端部の間に電気的導通接続を形成する第一コイルセグメント及び第二コイルセグメントと、反対の前記第一調整可能コイルセグメント端部及び第二調整可能コイルセグメント端部に電気的に接続する調整可能コイルセグメントと、反対の前記第一調整可能コイルセグメント端部及び第二調整可能コイルセグメント端部の間に調整可能コイルセグメント端部距離を与えるコイルセグメント・セパレーター、並びに、前記調整可能コイルセグメント端部距離を動的に調整するアクチュエーターであって、前記ソレノイド誘導コイルの前記内部断面開口部が、前記調整可能コイルセグメントがショートされる前記閉鎖セグメント位置と、前記調整可能コイルセグメントが反対の前記第一調整可能コイルセグメント端部及び第二調整可能コイルセグメント端部の間に電気的導通接続を形成する可変の開放セグメント位置との間で動的に変化されるアクチュエーターを備える調整可能コイルセグメント・アセンブリとを備え、前記方法が、
検知された寸法変化を出力する一以上のセンサーで、前記少なくとも一巻きのソレノイド誘導コイルを通過するに先立ち、加工対象物の寸法変化を検知すること、及び、
検知された寸法変化を、前記アクチュエーターへの入力のためのアクチュエーター・コントローラーに出力し、検知された寸法変化に応じて、前記少なくとも一巻きのソレノイド誘導コイルの前記内部断面開口部を、閉鎖セグメント位置と可変の開放セグメント位置との間で、アクチュエーターにより動的に変化させること
を備える方法。
【請求項１９】
前記寸法変化が、前記加工対象物の幅の変化を備える請求項１８に記載の方法。
【請求項２０】
前記加工対象物が非連続の加工対象物である場合、前記寸法変化が、前記加工対象物の後端部を備える請求項１８に記載の方法。
【手続補正２】
【補正対象書類名】明細書
【補正対象項目名】００２０
【補正方法】変更
【補正の内容】
【００２０】
この発明の他の例では、本発明のソレノイドコイルは、非柔軟性の剛性部材、たとえば、限定的ではないが、図１（ａ）及び図１（ｂ）の調整可能コイルセグメントの位置内の、または、それに隣接するスライド接触バスバー又は、他の導電かつ剛性要素により、閉鎖セグメント位置と可変の開放セグメント位置との間で移動する（関節接合する（articulates））。たとえば、図２（ａ）及び図２（ｂ）では、固定されたバスバー１０ｃ’は、図２（ａ）及び図２（ｂ）における第一及び第二の調整可能コイルセグメント端部１０ａ’’及び１０ｂ’’と接触するべく構成され、それにより、調整可能コイルセグメント・アセンブリ１０ｄが、ソレノイド誘導コイルの内部断面開口部を、閉鎖セグメント位置と可変の開放セグメント位置との間で動的に変化させるとき、第一及び第二の調整可能コイルセグメント端部は、固定されたバスバー１０ｃ’との電気接触を維持する。
【国際調査報告】
2016524327.tif 000010
2016524327.tif 000011